(57)【要約】【課題】摩擦特性、水分離性、貯蔵安定性、および腐食防止性に優れた滑り案内面用潤滑油組成物を提供する。【解決手段】潤滑油基油と、組成物全量基準で０．０１〜１．５質量％のリン化合物と、下記一般式（１）で表される構造を有し、組成物全量基準で０．００１〜０．５質量％のベンゾトリアゾール誘導体と、を含有する滑り案内面用潤滑油組成物。式（１）中、Ｒ１は水素原子又は炭素数１〜４の炭化水素基を表し、Ｒ２は窒素原子を含む基で置換されていてもよい炭素数が１〜３０の炭化水素基を表す。2015229762.tif 000014【選択図】なし【特許請求の範囲】
【請求項１】
潤滑油基油と、組成物全量基準で０．０１〜１．５質量％のリン化合物と、下記一般式（１）で表される構造を有し、組成物全量基準で０．００１〜０．５質量％のベンゾトリアゾール誘導体と、を含有する滑り案内面用潤滑油組成物。
【化１】
2015229762.tif 000013
（式（１）中、Ｒ１は水素原子又は炭素数１〜４の炭化水素基を表し、Ｒ２は窒素原子を含む基で置換されていてもよい炭素数が１〜３０の炭化水素基を表す。）
【請求項２】
さらに、組成物全量基準で０．１〜１５質量％の硫黄化合物を含有する請求項１に記載の滑り案内面用潤滑油組成物。
【発明の詳細な説明】
【技術分野】
【０００１】
本発明は、滑り案内面用潤滑油組成物に関する。
【背景技術】
【０００２】
工作機械は金属の切削・研削加工を行う機械であり、機械構造中の案内面として、滑り案内面（摺動面）が多く採用されている。この滑り案内面は面接触のため摩擦係数が大きく、特に低速時にスティックスリップを生じやすいが、スティックスリップを生じると加工精度や工具寿命への影響が懸念される。そのため、工作機械の滑り案内面用潤滑油（摺動面油とも呼ばれる）には、摩擦係数が十分に低く、スティックスリップ抑制性が良好（すなわち摩擦特性が良好）であることや、金属腐食防止性や貯蔵安定性が良好であることが求められる。
【０００３】
ところで、金属の切削・研削加工に際しては水溶性切削液が用いられるが、工作機械では水溶性切削液を専用のタンクを用いて循環使用するケースが多く、工作機械の構造上、滑り案内面で用いられる潤滑油が水溶性切削液に混入することが避けられない。そして、この滑り案内面で用いられる潤滑油が水溶性切削液に混入したまま分離できない場合には、水溶性切削液の劣化原因の１つとなる場合がある。そのため、滑り案内面用潤滑油は、摩擦特性に加え、水分離性能にも優れることも求められる。
【０００４】
上記性能を有する滑り案内面用潤滑油としては、特定構造のリン酸エステルを配合する技術や、これにさらに特定の硫黄化合物を配合する技術や特定構造のポリアミン化合物を配合する技術などが知られている（例えば、特許文献１〜４参照）。
【先行技術文献】
【特許文献】
【０００５】
【特許文献１】特開２００２−２７５４８９号公報
【特許文献２】特開２００７−２３８７６５号公報
【特許文献３】特開２０１０−２０２６８０号公報
【特許文献４】特開２０００−１０９８６９号公報
【発明の概要】
【発明が解決しようとする課題】
【０００６】
しかしながら、摩擦特性を向上させるリン化合物や硫黄化合物の中には水分離性や金属腐食性に影響するものがあり、金属腐食防止剤として一般的に用いられるチアジアゾールやベンゾトリアゾールは水分離性や貯蔵安定性に影響するものもある。そのため、さらに上記諸性能を共に向上させることが望ましい。
【０００７】
本発明は、上記観点からなされたもので、摩擦特性、水分離性、貯蔵安定性、および腐食防止性に優れた滑り案内面用潤滑油組成物を提供することを目的とする。
【課題を解決するための手段】
【０００８】
本発明者らは上記目的を達成するため鋭意研究を重ねた結果、潤滑油基油に、リン化合物と特定の構造を有するベンゾトリアゾール誘導体をそれぞれ特定量配合することによって、摩擦特性、水分離性、貯蔵安定性、および腐食防止性に優れた潤滑油組成物となることを見出し、本発明を完成させるに至った。すなわち、以下の発明が提供される。
【０００９】
＜１＞  潤滑油基油と、組成物全量基準で０．０１〜１．５質量％のリン化合物と、下記一般式（１）で表される構造を有し、組成物全量基準で０．００１〜０．５質量％のベンゾトリアゾール誘導体と、を含有する滑り案内面用潤滑油組成物。
【００１０】
【化１】
2015229762.tif 000002
【００１１】
式（１）中、Ｒ１は水素原子又は炭素数１〜４の炭化水素基を表し、Ｒ２は窒素原子を含む基で置換されていてもよい炭素数が１〜３０の炭化水素基を表す。
【００１２】
＜２＞  さらに、組成物全量基準で０．１〜１５質量％の硫黄化合物を含有する＜１＞に記載の滑り案内面用潤滑油組成物。
【発明の効果】
【００１３】
本発明によれば、摩擦特性、水分離性、貯蔵安定性、および腐食防止性に優れた滑り案内面用潤滑油組成物を提供することができる。
【発明を実施するための形態】
【００１４】
以下、本発明の滑り案内面用潤滑油組成物について詳細に説明する。なお、本明細書中、数値範囲を表す「〜」はその上限及び下限の数値を含む範囲を表す。
【００１５】
本発明の滑り案内面用潤滑油組成物は、潤滑油基油と、組成物全量基準で０．０１〜１．５質量％のリン化合物と、下記一般式（１）で表される構造を有し、組成物全量基準で０．００１〜０．５質量％のベンゾトリアゾール誘導体と、を含有する。
【００１６】
【化２】
2015229762.tif 000003
【００１７】
式（１）中、Ｒ１は水素原子又は炭素数１〜４の炭化水素基を表し、Ｒ２は窒素原子を含む基で置換されていてもよい炭素数が１〜３０の炭化水素基を表す。
【００１８】
＜基油＞
本発明の滑り案内面用潤滑油組成物に用いる基油としては特に制限はなく、鉱油系潤滑油基油であっても、合成油系潤滑油基油であってもよい。
【００１９】
鉱油系潤滑油基油としては、例えば原油の潤滑油留分を溶剤精製、水素化精製など適宜組み合わせて精製して得られる、溶剤精製鉱油、水素化精製鉱油、水素化分解鉱油などが挙げられる。また、溶剤脱ロウによるスラックワックス等の原料を水素化分解処理及び水素化異性化処理して得た基油も挙げられる。
【００２０】
合成系潤滑油基油としては、例えば炭素数３〜１２のα−オレフィンの重合体であるα−オレフィンオリゴマー、２−エチルヘキシルセバケート、ジオクチルセバケートを始めとするセバケート、アゼレート、アジペートなどの炭素数４〜１２のジアルキルジエステル類、１−トリメチロールプロパン、ペンタエリスリトールと炭素数３〜１２の一塩基酸から得られるエステルを始めとするポリオール類、炭素数９〜４０のアルキル基を有するアルキルベンゼン類、ブチルアルコールをプロピレンオキシドと縮合させることにより得られるポリグリコールなどのポリグリコール類、約２〜５個のエーテル連鎖及び約３〜６個のフェニル基を有するポリフェニルエーテルなどのフェニルエーテル類などが挙げられる。さらに、フィッシャー・トロプシュ合成で得られたワックス等の原料を水素化分解処理及び水素化異性化処理して得られる基油なども挙げられる。
上記鉱油系潤滑油基油及び合成系潤滑油基油は１種単独であるいは２種以上を混合して使用することができる。
【００２１】
本発明の滑り案内面用潤滑油組成物に用いる基油の動粘度は特に制限はないが、４０℃における動粘度が１０〜３００ｍｍ２／ｓであることが好ましく、２０〜２５０ｍｍ２／ｓであることがより好ましく、３０〜１００ｍｍ２／ｓであることが特に好ましい。
【００２２】
＜リン化合物＞
本発明の滑り案内面用潤滑油組成物中には、リン化合物（以下、「（Ａ）成分」という場合がある。）が組成物全量基準で０．０１〜１．５質量％含まれる。このリン化合物としては、例えば、下記一般式（２）で表される構造を持つ化合物が挙げられる。
【００２３】
【化３】
2015229762.tif 000004
【００２４】
一般式（２）中、Ｒ３、Ｒ４及びＲ５は、水素原子又は炭素数１〜３０の炭化水素基を表し、ａは０又は１である。Ｒ３、Ｒ４及びＲ５は同一であっても異なっていてもよい。
Ｒ３、Ｒ２及びＲ３の各炭素数は好ましくは４〜２２であり、より好ましくは８〜１８である。
一般式（２）中、Ｒ３、Ｒ４及びＲ５で表される炭化水素基は、脂肪族炭化水素基、脂環族炭化水素基、及び芳香族炭化水素基のいずれであってもよいが、好ましくは脂肪族炭化水素基である。脂肪族炭化水素基である場合、飽和であっても不飽和であってもよく、直鎖であっても分岐鎖であってもよい。
【００２５】
一般式（２）で表されるリン化合物としては、リン酸エステル、酸性リン酸エステル、亜リン酸エステル、酸性亜リン酸エステルなどが挙げられる。
【００２６】
一般式（２）で表されるリン酸エステルとしては、上記式（２）においてＲ３、Ｒ４及びＲ５が炭素数１〜３０の炭化水素基で、ａが１の化合物が挙げられる。Ｒ３、Ｒ４及びＲ５で表される炭化水素基は、脂肪族炭化水素基、脂環族炭化水素基、及び芳香族炭化水素基のいずれであってもよいが、好ましくは脂肪族炭化水素基である。脂肪族炭化水素基である場合、飽和であっても不飽和であってもよく、直鎖であっても分岐鎖であってもよい。このような化合物の具体例としては、ベンジルジフェニルリン酸エステル、アリルジフェニルリン酸エステル、トリフェニルリン酸エステル、トリクレジルリン酸エステル、トリブチルリン酸エステル、クレジルジフェニルリン酸エステル、ジクレジルフェニルリン酸エステル、エチルフェニルジフェニルリン酸エステル、ジエチルフェニルフェニルリン酸エステル、プロピルフェニルジフェニルリン酸エステル、ジプロピルフェニルフェニルリン酸エステル、トリエチルフェニルリン酸エステル、トリプロピルフェニルリン酸エステル等の化合物を挙げることができる。
【００２７】
一般式（２）で表される酸性リン酸エステルとしては、上記式（２）においてＲ３、Ｒ４及びＲ５の内、１つ又は２つが水素原子で、残りが炭素数１〜３０の炭化水素基であり、ａが１の化合物が挙げられる。Ｒ３、Ｒ４及びＲ５で表される炭化水素基は、脂肪族炭化水素基、脂環族炭化水素基、及び芳香族炭化水素基のいずれであってもよいが、好ましくは脂肪族炭化水素基である。脂肪族炭化水素基である場合、飽和であっても不飽和であってもよく、直鎖であっても分岐鎖であってもよいが、特に直鎖脂肪族炭化水素基であることが好ましい。このような化合物の具体例としては、２−エチルヘキシル酸性リン酸エステル、ｎ−オクチル酸性リン酸エステル、オレイル酸性リン酸エステルなどが挙げられる。
【００２８】
また、酸性リン酸エステルは、下記の一般式（３）で表されるアミン類で中和された酸性リン酸エステルのアミン塩であってもよい。  
【００２９】
【化４】
2015229762.tif 000005
【００３０】
一般式（３）において、Ｒ６〜Ｒ８は、炭素数が１〜２２の一価の炭化水素基又は水素原子を表し、Ｒ６〜Ｒ８のうち少なくとも１個は炭化水素基である。Ｒ６〜Ｒ８は、好ましくは炭素数４〜１８の一価の炭化水素基又は水素原子である。
例えば上記一般式（３）で表されるアルキルアミンの具体例としては、ジブチルアミン、オクチルアミン、ジオクチルアミン、ラウリルアミン、ジラウリルアミン、オレイルアミン、ココナッツアミン、牛脂アミンなどである。
【００３１】
一般式（２）で表される亜リン酸エステルとしては、上記式（２）においてＲ３、Ｒ４及びＲ５が炭素数１〜３０の炭化水素基で、ａが０の化合物が挙げられる。Ｒ３、Ｒ４及びＲ５で表される炭化水素基は、脂肪族炭化水素基、脂環族炭化水素基、及び芳香族炭化水素基のいずれであってもよいが、好ましくは脂肪族炭化水素基である。脂肪族炭化水素基である場合、飽和であっても不飽和であってもよく、直鎖であっても分岐鎖であってもよい。このような化合物の具体例としては、トリオクタデシル亜リン酸エステル、トリステアリル亜リン酸エステル、トリイソオクチル亜リン酸エステル、トリス（ノニルフェニル）亜リン酸エステル、ジフェニルイソデシル亜リン酸エステルなどが挙げられる。
【００３２】
一般式（２）で表される酸性亜リン酸エステルとしては、上記式（２）においてＲ３、Ｒ４及びＲ５の内、１つ又は２つが水素原子で、残りが炭素数１〜３０の炭化水素基であり、ａが０の化合物が挙げられる。Ｒ３、Ｒ４及びＲ５で表される炭化水素基は、脂肪族炭化水素基、脂環族炭化水素基、及び芳香族炭化水素基のいずれであってもよいが、好ましくは脂肪族炭化水素基である。脂肪族炭化水素基である場合、飽和であっても不飽和であってもよく、直鎖であっても分岐鎖であってもよい。このような化合物の具体例としては、２−エチルヘキシル酸性亜リン酸エステル、イソデシル酸性亜リン酸エステル、ジ（２−エチルヘキシル）亜リン酸エステルなどが挙げられる。
【００３３】
また、酸性亜リン酸エステルは前記した一般式（３）で表されるアミン類で中和された酸性亜リン酸エステルのアミン塩であってもよい。
【００３４】
なお、摩擦特性を向上させるためには、特にアミン塩を含まない酸性リン酸エステルであることが望ましい。
【００３５】
本発明の滑り案内面用潤滑油組成物中の（Ａ）成分の含有量は、摩擦特性及び腐食防止性の観点から、組成物全量に対し０．０１〜１．５質量％であり、好ましくは０．０１〜１質量％、特に好ましくは０．０５〜０．５質量％である。
【００３６】
＜ベンゾトリアゾール誘導体＞
本発明の滑り案内面用潤滑油組成物中には、下記一般式（４）で表される構造を有するベンゾトリアゾール誘導体（以下、「（Ｂ）成分」という場合がある。）を組成物全量基準で０．００１〜０．５質量％含有する。本発明の滑り案内面用潤滑油組成物は、この（Ｂ）成分を含有させることで、腐食防止性、水分離性及び貯蔵安定性を向上させることができる。
【００３７】
【化５】
2015229762.tif 000006
【００３８】
一般式（４）中、Ｒ１は水素原子又は炭素数１〜４の炭化水素基を表し、Ｒ２は窒素原子を含む基で置換されていてもよい炭素数が１〜３０の炭化水素基を表す。
【００３９】
一般式（４）におけるＲ１は、水素原子又は炭素数１〜４の炭化水素基であり、炭化水素基の場合には飽和であっても不飽和であってもよいが、炭素数１〜４のアルキル基であることが好ましく、メチル基であることが特に好ましい。なお、Ｒ１が水素原子である場合は、炭素数１〜４の炭化水素基で置換されていないことを意味する。
【００４０】
一般式（４）におけるＲ２は、窒素原子を含む基で置換されていてもよい炭素数が１〜３０の炭化水素基である。ここで、「窒素原子を含む基で置換されていてもよい炭素数が１〜３０の炭化水素基」とは、炭素と水素で構成された炭化水素基、又は、炭素と水素で構成された炭化水素基の少なくとも１つの水素が、アミノ基や置換アミノ基等の窒素原子を含む基で置換された炭化水素基を意味する。例えば、脂肪族炭化水素基、芳香族炭化水素基、脂環式炭化水素基、又はこれら炭化水素基にアミノ基やアルキル置換されたアミノ基を有するもの等が挙げられ、これらは飽和であっても不飽和であってもよく、分岐していても直鎖であってもよい。
一般式（４）におけるＲ２が窒素原子を含む基で置換されていない炭化水素基の場合には、炭素数が１〜１２のアルキル基が好ましい。
【００４１】
一般式（４）におけるＲ２が窒素原子を含む基で置換されている炭化水素基である場合には、窒素原子を含む置換基は、以下の一般式（５）で表される構造を有する置換基であることが好ましい。
【００４２】
【化６】
2015229762.tif 000007
【００４３】
一般式（５）における波線は一般式（４）における窒素原子との結合部位を示し、Ｒ９は炭素数１〜６のアルキレン基であることが好ましく、炭素数１〜３のアルキレン基がより好ましく、メチレン基が特に好ましい。また、一般式（５）におけるＲ１０とＲ１１は炭素数１〜１２のアルキル基又はそのいずれか一方が水素原子であるが、Ｒ１０、Ｒ１１が共に炭素数１〜１２のアルキル基であることが好ましく、Ｒ１０、Ｒ１１が共に炭素数６〜１０のアルキル基であることが特に好ましい。
【００４４】
本発明の滑り案内面用潤滑油組成物中の（Ｂ）成分の含有量は、腐食防止性、水分離性、貯蔵安定性の観点から、組成物全量に対し、０．００１〜０．５質量％であり、好ましくは０．０１〜０．３質量％、より好ましくは０．０５〜０．２質量％、特に好ましくは０．０５〜０．１５質量％である。
【００４５】
＜硫黄化合物＞
本発明の滑り案内面用潤滑油組成物中には、硫黄化合物（以下、「（Ｃ）成分」という場合がある。）を含有することもできる。このような硫黄化合物としては、炭化水素硫化物、硫化油脂等が挙げられる。
上記炭化水素硫化物としては、下記の一般式（６）又は一般式（７）で表される炭化水素硫化物が挙げられる。
【００４６】
【化７】
2015229762.tif 000008
【００４７】
【化８】
2015229762.tif 000009
【００４８】
一般式（６）及び一般式（７）中、Ｒ１２は１価の炭化水素基（例えば、アルキル基やアルケニル基のような、炭素数２〜２０の直鎖もしくは分岐の飽和もしくは不飽和の脂肪族炭化水素基、又は炭素数６〜２６の芳香族炭化水素基）を表し、Ｒ１３、Ｒ１４は、２価の炭化水素基（例えば、炭素数２〜２０の直鎖もしくは分岐の飽和もしくは不飽和の脂肪族炭化水素基、又は炭素数６〜２６の芳香族炭化水素基）を表す。
【００４９】
また、一般式（６）及び一般式（７）中、ｂは１以上の整数で、繰り返し単位中において各々のｂは同じでも異なっていてもよく、ｃは０又は１以上の整数を表す。
Ｒ１２で表される１価の炭化水素基の具体例としては、エチル基、プロピル基、ブチル基、ノニル基、ドデシル基、プロペニル基、ブテニル基、フェニル基、トリル基、ヘキシルフェニル基、ベンジル基などが挙げられる。
Ｒ１３、Ｒ１４で表される２価の炭化水素基の具体例としては、エチレン基、プロピレン基、ブチレン基、フェニレン基などが挙げられる。
【００５０】
これら炭化水素硫化物の具体的な化合物例としては、（i）ジイソブチルジサルファイド、ジオクチルポリサルファイド、ジ−ｔｅｒｔ−ブチルポリサルファイド、ジ−ｔｅｒｔ−ノニルポリサルファイド、ジベンジルポリサルファイドなどのポリサルファイド化合物、（ii）ポリイソブチレン、テルペン類などのオレフィン類を、硫黄などの硫化物で硫化した硫化オレフィン類、（iii）イソブチレンと硫黄との反応生成物で、下記の一般式（８）又は一般式（９）で表される構造を有するものと推測される化合物などが挙げられる。
【００５１】
【化９】
2015229762.tif 000010
【００５２】
一般式（８）中、ｂ及びｃは、一般式（６）におけるｂ及びｃと同じである。
【００５３】
【化１０】
2015229762.tif 000011
【００５４】
一般式（９）中、ｂ及びｃは、一般式（７）におけるｂ及びｃと同じである。
【００５５】
上記硫化油脂としては、油脂と硫黄の反応生成物が挙げられる。
ここで、油脂としては、ラード、牛脂、鯨油、パーム油、ヤシ油、ナタネ油などの動植物油脂が挙げられる。
本発明の滑り案内面用潤滑油組成物中の（Ｃ）成分の含有量は、摩擦特性の観点から、組成物全量に対し、好ましくは０．１〜１５質量％、より好ましくは０．１〜５質量％、特に好ましくは１〜２．５質量％である。
【００５６】
＜その他の添加剤＞
本発明の滑り案内面用潤滑油組成物には、さらに各種性能を高める目的で、さらに公知の潤滑油添加剤を単独で、または２種類以上を組み合わせて使用することができる。
かかる添加剤としては、脂肪酸、フェノール系酸化防止剤、アミン系酸化防止剤、エステル系のさび止め剤、スチレンーブタジエン水添加重合体、エチレンプロピレン重合体、ポリイソブチレン、ポリメタクリレートなどの流動点降下剤、ポリアクリレート、ポリジメチルシロキサンなどの消泡剤、エチレンオキシドープロピレンオキシド供重合体などの抗乳化剤、アルケニルコハク酸ハーフエステルなどの錆止め剤などが挙げられる。
【００５７】
＜組成物の性状＞
本発明の滑り案内面用潤滑油組成物は、金属腐食防止の観点から酸価が０．１〜３．０ｍｇＫＯＨ／ｇであることが好ましく、０．２〜２．０ｍｇＫＯＨ／ｇであることがさらに好ましい。
また、本発明の滑り案内面用潤滑油組成物は、４０℃動粘度が、ＪＩＳ  Ｋ２２８３動粘度試験方法で２〜３６０ｍｍ２／ｓであることが好ましく、１８〜２４０ｍｍ２／ｓであることがより好ましく、３０〜１００ｍｍ２／ｓであることがさらに好ましい。
【００５８】
本発明の滑り案内面用潤滑油組成物は、摩擦特性、水分離性、貯蔵安定性、腐食防止性に優れた工作機械等の滑り案内面の潤滑に好適に用いられる。
【実施例】
【００５９】
次に本発明を実施例より具体的に説明するが、本発明は、これらの例によって何ら制限されるものではない。
【００６０】
実施例・比較例として表１に示す組成の滑り案内面用潤滑油組成物を調製した。調製に用いた基油と添加剤は以下の通りである。
【００６１】
・基油（溶剤精製パラフィン系鉱油、４０℃動粘度：６８ｍｍ２／ｓ、粘度指数：１００、引火点：２２４℃）
・酸性リン酸エステル１（オレイル酸性リン酸エステル）
・酸性リン酸エステル２（２−エチルヘキシル酸性リン酸エステル）
・酸性リン酸エステルアミン塩（２−エチルヘキシル酸性リン酸エステルのアルキルアミン塩）
・ベンゾトリアゾール誘導体（１−［Ｎ，Ｎ−ビス（２−エチルヘキシル）アミノメチル］メチルベンゾトリアゾール（一般式（４）においてＲ１がメチル基、Ｒ２が一般式（５）でＲ９がメチレン基、Ｒ１０及びＲ１１が２−エチルヘキシル基である、窒素を含む基で置換された炭化水素基であるベンゾトリアゾール誘導体））
・ベンゾトリアゾール（１，２，３−ベンゾトリアゾール）
・硫黄化合物（硫化ラード）
・酸化防止剤（ジ−ｔ−ブチル−ｐ−クレゾール）
・錆止め剤（アルケニルコハク酸ハーフエステル）
・消泡剤（ジメチルシリコン）
【００６２】
各実施例・比較例の滑り案内面用潤滑油組成物は以下に記載する方法で評価した。結果は表１に示す。
【００６３】
（１）摩擦特性試験
下記に示す試験機及び試験条件で連続的に読み取った摩擦係数より、動摩擦係数μとスティックスリップ発生の有無を評価した。
試験機    ：ＬＦＷ−６試験機
接触形態  ：リング・オン・リング
試験片    ：鋳鉄（ＦＣ３００，  粗さ：Ｒｚｊｉｓ＝３．０〜３．５μｍ）
面圧      ：０．２２ＭＰａ（２．２７ｋｇ／ｃｍ２）
すべり速度：１８μｍ／ｓ
試験温度  ：２５℃
【００６４】
（２）水分離性験
ＪＩＳ  Ｋ２５２０に準拠し、滑り案内面用潤滑油組成物４０ｍｌと蒸留水４０ｍｌを試験管に入れ、５４℃の恒温槽に静置し、かき混ぜ板を入れて、回転数１５００ｒｐｍで５分間かき混ぜた。所定時間放置した後の分離した油相−水相−乳化相の量を測定した。
【００６５】
（３）貯蔵安定性試験
下記条件で目視にて濁り・沈殿の発生の有無を評価した。
２５℃、静置、１週間
０℃、静置、１週間
【００６６】
（４）腐食防止性試験
試料４０ｍｌのサンプル瓶に取り、銅板を試料に含浸し、８０℃の回転盤付き恒温槽内で１６８時間静置し、試験後の色をＪＩＳ  Ｋ２５１３  銅板腐食試験判定基準に従い評価した。
【００６７】
実施例・比較例で調製した組成物の構成と上記評価の結果を表１に示す。
【００６８】
【表１】
2015229762.tif 000012
実施例１〜３の潤滑油組成物は、いずれも摩擦特性、水分離性、貯蔵安定性、および腐食防止性が良好であり、滑り案内面用潤滑油として最適であることがわかる。
一方、本発明の（Ｂ）成分であるベンゾトリアゾール誘導体を含有しない比較例１は、水分離性、低温での貯蔵安定性、腐食防止性が劣ることがわかる。
また、本発明の（Ｂ）成分のベンゾトリアゾールに代えて腐食防止剤として一般的なベンゾトリアゾールを配合した比較例２では、水分離性、常温及び低温での貯蔵安定性が劣ることがわかる。
さらに、本発明の（Ｂ）成分を含有するものの、本発明の（Ａ）成分である酸性リン酸エステルを含有しない比較例３では、動摩擦係数が著しく劣ることがわかる。
このように、本発明の（Ａ）、（Ｂ）いずれの成分が欠けても所期の効果が得られないことがわかる。